(57)【要約】【課題】ネットワーク相互間のデータ伝送におけるパケット消失を抑制する。【解決手段】ＬＡＮ１から送受信回路９を介して入力されるパケット１２に組込まれたデータ１３の周波数帯域を変更して送受信回路１０を介してＷＡＮ２へ送出するネットワーク帯域制御装置１１である。そして、送受信回路９から入力されるデータの数を規定データ数Ｍに達するまで繰り返し計数するデータ数カウンタ１４と、指定された使用周波数帯域と入力されるデータの周波数帯域とから規定データ数Ｍに対する停止データ数ＣＲを算出する停止データ数算出部１８と、規定データ数の計数を終了する毎に、停止データ数を計数する停止データ数カウンタ１６と、停止データ数を計数している期間、送受信回路９に対してデータの停止信号ｆを出力する停止信号送出部１７と、停止信号出力期間中に入力されたデータを停止信号解除時刻まで保持するデータバッファ１５とを備えている。【選択図】　　図１
2004007255.tif 000002
【特許請求の範囲】
【請求項１】
第１のネットワーク（１）から第１のネットワーク送受信回路（９）を介して入力されるパケット（１２）に組込まれたデータ（１３）の周波数帯域を変更して第２のネットワーク送受信回路（１０）を介して第２のネットワーク（２）へ送出するネットワーク帯域制御装置（１１）であって、
前記第１のネットワーク送受信回路から入力されるデータの数を予め指定された規定データ数に達するまで繰り返し計数するデータ数カウンタ（１４）と、
外部から指定された使用周波数帯域と前記第１のネットワーク送受信回路から入力されるデータの周波数帯域とから前記規定データ数に対する停止データ数を算出する停止データ数算出部（１８）と、
前記データ数カウンタが前記規定データ数の計数を終了する毎に、前記停止データ数算出部で算出された停止データ数を計数する停止データ数カウンタ（１６）と、
この停止データ数カウンタが前記停止データ数を計数している期間、前記第１のネットワーク送受信回路に対してデータの送出停止を指示する停止信号を出力する停止信号送出部（１７）と、
前記停止信号の出力期間中に前記第１のネットワーク受信回路から入力されたデータを停止信号解除時刻まで保持するデータバッファ（１５）と
を備えたネットワーク帯域制御装置。
【請求項２】
前記停止データ数カウンタは、前記第２のネットワーク送受信回路から前記第１のネットワーク送受信回路へ送信されるデータ受信クロック信号のクロックに基づいて前記停止データ数を計数することを特徴とする請求項１記載のネットワーク帯域制御装置。
【請求項３】
前記第２のネットワークから前記第２のネットワーク送受信回路へデータ送信停止要求が入力されている期間、前記データ受信クロック信号は送信停止されることを特徴とする請求項２記載のネットワーク帯域制御装置。
【発明の詳細な説明】
【０００１】
【発明の属する技術分野】
本発明は、ネットワーク相互間を中継するネットワーク中継装置に係わり、特に、このネットワーク中継装置内に組込まれ、一方のネットワークから入力されたデータの伝送速度に対応する周波数帯域を変更して他方のネットワークへ送出するネットワーク帯域制御装置に関する。
【０００２】
【従来の技術】
例えば、図５に示すように、Ｇ１ｂｐｓオーダの高速データ通信を実施するＬＡＮ１と、２００〜３００Ｍｂｐｓオーダの低速データ通信を実施するＷＡＮ２との間のデータ伝送を中継するネットワーク中継装置３が実用化されている。なお、ＬＡＮ１及びＷＡＮ２上において各データはパケットに組込まれた状態で送受信される。
【０００３】
このネットワーク中継装置３内には、ＬＡＮ１に対してパケットを送受信するための送受信回路４と、ＷＡＮ２に対してパケットを送受信するための送受信回路５とが組込まれている。各送受信回路４、５は受信したパケットを、この受信したパケットの伝送速度に対応する周波数帯域を送信先の伝送速度に対応する周波数帯域に変換して、相手側の送受信回路５、４へ転送する。
【０００４】
このようなネットワークシステムにおいて、ＬＡＮ１に接続された情報提供サーバ６から各種の情報をＷＡＮ２に接続された利用者の端末７へ送信する場合、例えば、情報提供サーバ６から出力されるデータの速度（周波数帯域）が１Ｇｂｐｓで、利用者の端末７の処理可能なデータの速度（周波数帯域）が２００Ｍｂｐｓの場合、このまま情報提供サーバ６から送信し続けると、速度低下が発生する入口であるネットワーク中継装置３で受信されたデータが処理されずにオーバーフローする。そこで、ネットワーク中継装置３において、単位時間内にＷＡＮ２へ送出するパケット数が端末７で処理可能な予め定められた限界パケット数に達すると、ＬＡＮ１を介して送信元の情報提供サーバ６へデータの送信停止指令を送信して、情報提供サーバ６からのデータ送信を予め定められた一定時間停止させている。
【０００５】
【発明が解決しようとする課題】
しかしながら、図５に示したネットワーク中継装置３においてもまだ解消すべき次のような課題があった。
【０００６】
すなわち、前述したように、ＬＡＮ１やＷＡＮ２上を伝送されるデータはそれぞれパケットに組込まれて伝送される。しかし、各パケットに組込まれるデータ数は設計者が任意に設定可能である。したがって、各パケットのパケット長は一定しない。例えば、ある情報提供サーバ６から出力されるパケットのパケット長は長く設定され、別の情報提供サーバ６から出力されるパケットのパケット長は短く設定されている。
【０００７】
このようにパケット長（データ数）が一定しないパケットを前述した限界パケット数だけ集めたとしも、合計のデータ数が大きく変動する。しかし、次のデータ送信停止時間は一定である。この場合、合計のデータ数が利用者の端末７の処理可能なデータ数より大きくなると、次のデータ送信停止時間が経過しても端末７に未処理のデータが残り、そのデータを含むパケットの消失が発生する。
【０００８】
この場合、利用者の端末７は、パケットの再送要求を情報提供サーバ６へ送信する。情報提供サーバ６は同一パケットを再送信するが、この同一パケットの再送信が頻発するとデータの送信効率が低下する。
【０００９】
さらに、図５に示したネットワーク中継装置３においは、高速のＬＡＮ１から低速のＷＡＮ２へデータの中継を行う場合、伝送速度（周波数帯域）はＷＡＮ２に接続された各端末７の最大データ処理能力に対応した伝送速度（周波数帯域）に変換される。
【００１０】
一般に、各端末７の利用者が有料でネットワークを使用する場合、高速（周波数帯域が広い）で通信を行うと高額になる傾向にある。しかし、各端末７の利用者のなかには、たとえ低速（周波数帯域が狭い）であっても、低額のほうがよいと考える者もいる。図５のネットワーク中継装置３においはこのような要望には対処できない。
【００１１】
本発明はこのような事情に鑑みてなされたものであり、ネットワークから順次入力されるデータが規定データ数に達する毎に別途算出した停止データ数だけデータの入力を停止することによって、たとえ高速のネットワークから低速のネットワークへデータを中継する場合においても、パケット消失を大幅に抑制でき、データの送信効率が向上し、かつ、利用者が自己の希望する伝送速度（周波数帯域）を選択できるネットワーク帯域制御装置を提供することを目的とする。
【００１２】
【課題を解決するための手段】
本発明は、第１のネットワークから第１のネットワーク送受信回路を介して入力されるパケットに組込まれたデータの周波数帯域を変更して第２のネットワーク送受信回路を介して第２のネットワークへ送出するネットワーク帯域制御装置である。
【００１３】
さらに、この発明のネットワーク帯域制御装置においては、第１のネットワーク送受信回路から入力されるデータの数を予め指定された規定データ数に達するまで繰り返し計数するデータ数カウンタと、外部から指定された使用周波数帯域と第１のネットワーク送受信回路から入力されるデータの周波数帯域とから規定データ数に対する停止データ数を算出する停止データ数算出部と、データ数カウンタが規定データ数の計数を終了する毎に、停止データ数算出部で算出された停止データ数を計数する停止データ数カウンタと、この停止データ数カウンタが停止データ数を計数している期間、第１のネットワーク送受信回路に対してデータの送出停止を指示する停止信号を出力する停止信号送出部と、停止信号の出力期間中に第１のネットワーク受信回路から入力されたデータを停止信号解除時刻まで保持するデータバッファとを備えている。
【００１４】
このように構成されたネットワーク帯域制御装置においては、第１のネットワークから第１のネットワーク送受信回路を介して入力されるパケットに組込まれた各データは、データ数カウンタで各パケットの枠組みを取り外した状態で規定データ数に達するまで繰り返し計数される。また、外部から指定された使用周波数帯域と第１のネットワーク送受信回路から入力されるデータの周波数帯域とから規定データ数に対する停止データ数が算出される。より具体的に説明すると、第１のネットワーク送受信回路を介して規定データ数のデータが入力された時点で、データの入力を停止状態に維持するときのデータ数が停止データ数である。
【００１５】
したがって、例えば、低速のネットワークに接続された端末の利用者においては、自己の端末の最大データ処理能力に対応した高速の伝送速度（周波数帯域）以外の低速の伝送速度（周波数帯域）を指定できる。
【００１６】
規定データ数に対する停止データ数を算出する場合、利用者が第１のネットワーク送受信回路から出力されるデータの周波数帯域の半分の使用周波数帯域を指定した場合は、停止データ数は規定データ数と等しい値となり、利用者が第１のネットワーク送受信回路から出力されるデータの周波数帯域と同一の使用周波数帯域を指定した場合は、停止データ数は零となる。
【００１７】
停止データ数カウンタは、データ数カウンタにおける規定データ数の計数終了毎に前記算出された停止データ数に対する計数を開始する。この停止データ数に対する計数を実施している期間、停止信号が第１のネットワーク送受信回路へ送信される。したがって、この停止信号の出力期間中は、第２のネットワーク送受信回路へデータが入力されることはない。
【００１８】
この停止データ数は、前述したように利用者が指定された使用周波数帯域と第１のネットワーク送受信回路から出力されるデータの周波数帯域と規定データ数とで定まり、パケットに組込まれるデータのデータ数には全く依存しない。したがって、データを受信した第２のネットワークに接続された端末において、データ受信停止期間が経過しても端末に未処理のデータが残留することが防止され、パケットの消滅が抑制される。
【００１９】
また、別の発明は、上述した発明のネットワーク帯域制御装置における停止データ数カウンタは、第２のネットワーク送受信回路から第１のネットワーク送受信回路へ送信されるデータ受信クロック信号のクロックに基づいて停止データ数を計数する。
【００２０】
さらに別の発明のネットワーク帯域制御装置においては、第２のネットワークから第２のネットワーク送受信回路へデータ送信停止要求が入力されている期間、データ受信クロック信号は送信停止される。
【００２１】
このように構成されたネットワーク帯域制御装置においては、例えば、第２のネットワークに接続された端末においてデータ処理の負荷が増大し、端末からデータ送信停止要求が出力されると、このデータ送信停止要求出力期間、データ受信クロック信号は送信停止される。
【００２２】
その結果、この送信停止期間において、停止データ数カウンタの計数値は進まないので、第１のネットワーク送受信回路に対する停止信号は出力状態を維持する。したがって、端末からのデータ送信停止要求出力期間中においては、第１のネットワーク送受信回路からデータは出力されない。
【００２３】
【発明の実施の形態】
以下、本発明の一実施形態を図面を用いて説明する。
図１は本発明の実施形態に係るネットワーク帯域制御装置が組込まれたネットワークシステムの概略構成を示すブロック図である。図５に示す従来のネットワークシステムと同一部分には同一符号を付して重複する部分の詳細説明を省略する。
【００２４】
例えば、Ｇｂｐｓオーダの高速データ通信を実施する第１のネットワークとしてのＬＡＮ１と、２００〜３００Ｍｂｐｓオーダの低速データ通信を実施する第２のネットワークとしてのＷＡＮ２との間にデータ伝送を中継するネットワーク中継装置８が接続されている。ＬＡＮ１には各種の情報を提供する情報提供サーバ６が接続され、ＷＡＮ２には利用者の端末７が接続されている。ＬＡＮＬ１及びＷＡＮ２上において各データは、図３に示すように、パケットに組込まれた状態で送受信される。すなわち、連続する各パケット１２内には、先頭の開始フラグと終端の終了フラグとの間に複数のデータ１３が組込まれている。開始フラグ、終了フラグ及び各データはそれぞれ８ビットで形成されている。このパケット１２のパケット長はデータ数に両端の開始フラグ及び終了フラグを加算した値である。この実施形態においては、開始フラグも終了フラグも一つのデータ１３とみなす。
【００２５】
ネットワーク中継装置８内には、ＬＡＮ１に対してパケット１２に組込まれた各データ１３を送受信するための第１のネットワーク送受信回路としての送受信回路９と、ＷＡＮ２に対してパケット１２に組込まれた各データ１３を送受信するための第２のネットワーク送受信回路としての送受信回路１０と、ネットワーク帯域制御装置１１とが組込まれている。
【００２６】
ＬＡＮ１に対する送受信回路９は、受信した各データ１３が組込まれたパケット１２の例えば１Ｇｂｐｓ（Ｈｚ）の伝送速度（周波数帯域）を６２２Ｍｂｐｓ（Ｈｚ）の伝送速度（周波数帯域）に変換してネットワーク帯域制御装置１１へ送出する。
【００２７】
ＷＡＮ２に対する送受信回路１０は、ネットワーク帯域制御装置１１から受信した伝送速度（周波数帯域）が指定された伝送速度（周波数帯域）に変換された各データ１３が組込まれた各パケット１２をＷＡＮ２を介して利用者の端末７へ送信する。
【００２８】
送受信回路９から入力される図２に示すパケット１２を構成する各データ１３が連続するデータ信号ａは、データ数カウンタ１４及びデータバッファ１５へ送出される。
【００２９】
また、ＷＡＮ２に接続された送受信回路１０は、図２及び図３に示すように、ＬＡＮ１に接続された送受信回路９から出力されるデータ信号ａの各データ１３を受信するためのデータ受信クロック信号ｃを送受信回路９へ送信する。したがって、このデータ受信クロック信号ｃのクロック周期は、送受信回路９から出力されるデータ信号ａの各データ１３の送信周期と等しい。このデータ受信クロック信号ｃは、送受信回路９の他に停止データ数カウンタ１６へも送出される。
【００３０】
また、ＷＡＮ２に接続された利用者の端末７は、送受信回路１０からＷＡＮ２を介して供給されたデータ信号ｇの各パケット１２に組込まれた各データ１３に対するデータ処理が滞った場合に、ＷＡＮ２を介して送受信回路１０に対してデータ送信停止要求信号ｂを送出する。送受信回路１０は、このデータ送信停止要求信号ｂが入力されている期間ＴＳ、データ受信クロック信号ｃの送受信回路９に対する送信を中断する。
【００３１】
データ数カウンタ１４は、入力されるデータ信号ａに含まれるパケット１２の各データ１３を各パケット１２の枠組みを取り外した状態で計数していき、計数値（データ数）が例えば１２８個等の規定データ数Ｍ（＝１２８）に達すると、図２に示すように、カウントアップ信号ｄを停止データ数カウンタ１６及び停止信号出力部１７へ送出する。その後、計数値（データ数）をリセットし、データ数の計数を再開する。
【００３２】
停止データ数算出部１８には、使用帯域設定部１９から端末７の使用者が希望する使用周波周波数帯域（使用伝送速度）の設定値αが入力される。なお、この使用周波周波数帯域の設定値αは、図４に示すように、送受信回路９からこのネットワーク帯域制御装置１１へ入力されるデータ信号ａの伝送速度Ｂ（＝６２２Ｍｂｐｓ）に対する割合で示される。例えば、使用周波周波数帯域がデータ信号ａの伝送速度Ｂに等しい場合は設定値αは１であり、使用周波周波数帯域がデータ信号ａの伝送速度Ｂの半分の場合は設定値αは０．５である。
【００３３】
そして、停止データ数算出部１８は、使用周波周波数帯域の設定値αと前述した規定データ数Ｍ（＝１２８）を用いて次式で、この規定データ数Ｍ（＝１２８）に対する停止データ数ＣＲの算出を行う。
【００３４】
ＣＲ＝Ｍ（１―α）／α
この式によると、図４に示すように、使用周波周波数帯域（使用伝送速度）がデータ信号ａの伝送速度Ｂに等しい場合、設定値αは１であり、停止データ数ＣＲは０である。また、使用周波周波数帯域（使用伝送速度）がデータ信号ａの伝送速度Ｂの半分の場合、設定値αは０．５であり、停止データ数ＣＲは規定データ数Ｍに等しくなる。さらに、使用周波周波数帯域（使用伝送速度）がデータ信号ａの伝送速度Ｂの１／３の場合、設定値αは０．３３であり、停止データ数ＣＲは規定データ数Ｍの２倍となる。
停止データ数算出部１８は算出した規定データ数Ｍ（＝１２８）に対する停止データ数ＣＲを停止データ数カウンタ１６へ設定する。
【００３５】
停止信号出力部１７は、図２に示すように、データ数カウンタ１４から規定データ数Ｍ（＝１２８）に対するカウントアップ信号ｄが入力されると、ハイ（Ｈ）レベルの停止信号ｆを送受信回路９及びデータバッファ１５へ送出開始する。
【００３６】
同時に、停止データ数カウンタ１６は、図２に示すように、データ数カウンタ１４から規定データ数Ｍ（＝１２８）に対するカウントアップ信号ｄが入力されると、データ受信クロック信号ｃのクロック数、すなわち停止データ数の計数を開始する。そして、停止データ数カウンタ１６はハイ（Ｈ）レベルの計数期間中信号ｅを停止信号出力部１７へ送出する。さらに、停止データ数カウンタ１６は、クロックの計数値が停止データ数ＣＲに達すると、計数期間中信号ｅをロー（Ｌ）レベルへ解除して、クロックの計数値を０にクリアする。
【００３７】
停止信号出力部１７は、図２に示すように、計数期間中信号ｅがロー（Ｌ）レベルへ解除されると送受信回路９及びデータバッファ１５へ送出しているハイ（Ｈ）レベルの停止信号ｆをロー（Ｌ）レベルに解除する。すなわち、停止データ数カウンタ１６が、停止データ数ＣＲを計数している期間のみ停止信号ｆが出力される。
【００３８】
送受信回路９は、ハイ（Ｈ）レベルの停止信号ｆが入力されている期間、すなわち停止データ数ＣＲに対応する期間は、データ１３の送出を停止する。そして、停止信号ｆがロー（Ｌ）レベルへ解除されるとデータ１３の送出を再開する。送受信回路９は、このデータ１３の送出を停止している期間、ＬＡＮ１を介してパケット１２の送信元の情報提供サーバ６へパケット１２の送信停止要求を送出する。
【００３９】
停止信号ｆは、規定データ数Ｍ（＝１２８）のデータ１３が入力する毎に１回出力されるので、送受信回路９から出力されるデータ信号ａは、規定データ数Ｍ（＝１２８）のデータ１３が連続して出力され、その後、停止データ数ＣＲに対応する期間だけ出力が停止され、その後、Ｍ（＝１２８）個のデータ１３が連続して出力される信号形態となる。
【００４０】
送受信回路９から出力されたデータ信号ａの各データ１３は、例えばＦＩＦＯメモリからなるデータバッファ１５で１データ時間だけ遅延されたのち、図２に示すように、新たなデータ信号ｇとして他方の送受信回路１０へ入力される。
【００４１】
詳細に検討すると、規定データ数Ｍ（＝１２８）番目のデータ１３を検出したのち、停止信号ｆがハイ（Ｈ）レベルへ立ち上がるので、停止すべき次のデータ（次の先頭データ）１３のみは出力されてデータバッファ１５へ入力される。このデータバッファ１５へ入力された次の先頭データ１３は１データ時間だけ遅延されたのち他方の送受信回路１０へ送出される筈であるが、１データ時間だけ遅延された時点で、このデータバッファ１５にハイ（Ｈ）レベルの停止信号ｆが印加されるので、この次の先頭データ１３はデータバッファ１５内に記憶保持され、停止信号ｆがロー（Ｌ）レベルへされた時点で、後続のデータ１３と一緒に、新たなデータ信号ｇとして他方の送受信回路１０へ入力される。
【００４２】
送受信回路１０は他方の送受信回路９からデータバッファ１５を介して入力された、指定された使用周波周波数帯域（使用伝送速度）を有するデータ信号ｇをＷＡＮ２を介して利用者の端末７へ送出する。利用者の端末７は、自己が指定した使用周波周波数帯域（使用伝送速度）を有するデータ信号ａに含まれる各パケット１２の各データ１３を受信してデータ処理する。
【００４３】
また、図２に示すように、利用者の端末７がデータ送信停止信号ｂを出力している期間ＴＳにおいては、前述したように、データ受信クロック信号ｃは送受信回路９へ送信されない。その結果、この送信停止期間ＴＳにおいて、停止データ数カウンタ１６の計数値は進まないので、送受信回路９に対する停止信号ｆはハイ（Ｈ）レベルの出力状態を維持する。したがって、端末７からのデータ送信停止要求出力信号ｂの期間中においては、送受信回路９からデータ１３は出力されない。よって、送受信回路１０からデータ１３がＷＡＮ２を介して、端末７へ入力されることはない。
【００４４】
また、このように構成されたネットワーク帯域制御装置１１においては、停止データ数算出部１８において、ＷＡＮ２に接続された端末７の利用者が指定した使用周波数帯域の設定値αと、送受信回路９から入力されるデータの周波数帯域とから規定データ数Ｍ（＝１２８）に対する停止データ数ＣＲが算出される。
【００４５】
このように、端末７の利用者が使用周波数帯域（伝送速度）を任意に指定できる。したがって、例えば低速のＷＡＮ２に接続された端末７の利用者においては、自己の端末７の最大データ処理能力に対応した高速の伝送速度（周波数帯域）以外の低速の伝送速度（周波数帯域）を指定できる。この結果、伝送速度（周波数帯域）に応じたネットワークの使用料金を選択できる。
【００４６】
この算出された停止データ数ＣＲは停止データ数カウンタ１６へ送出される。停止データ数カウンタ１６は、前述した規定データ数Ｍ（＝１２８）の計数が終了する毎に、新たな規定データ数Ｍ（＝１２８）の計数を開始する。この計数している期間、停止信号ｆが送受信回路９へ送信される。したがって、この停止信号ｆの出力期間中は、送受信回路１０へデータ１３が入力されることはない。
【００４７】
ここで、停止データ数ＣＲは、利用者が指定した使用周波数帯域と送受信回路９から出力されるデータの周波数帯域と規定データ数Ｍとで定まり、パケット１２に組込まれるデータ１３のデータ数には全く依存しない。
【００４８】
したがって、ＷＡＮ２に接続された端末７の利用者の指示に基づいて一旦使用周波数帯域を指定すると、規定データ数Ｍと停止データ数ＣＲとの比率（Ｍ／ＣＲ）は変化しないので、このデータ１３が組込まれた各パケット１２を受信したＷＡＮ２に接続された端末７において、停止データ数ＣＲに対応するデータ受信停止期間が経過しても端末７に未処理のデータが残留することが防止され、パケット１２の消滅が抑制される。その結果、パケット１２の再送信の発生頻度が低下し、データの送信効率が向上する。
【００４９】
なお、本発明は上述した実施形態に限定されるものではない。実施形態における停止データ数ＣＲを計数する停止データ数カウンタ１６は、データ受信クロック信号ｃのクロックを計数することによって、停止データ数ＣＲを計数しているが、例えば、自己に内蔵するクロック発振器で生成されるクロック信号のクロックを計数してもよい。
【００５０】
【発明の効果】
以上説明したように、本発明のネットワーク帯域制御装置においては、ネットワークから順次入力されるデータが規定データ数に達する毎に別途算出した停止データ数だけデータの入力を停止している。
【００５１】
したがって、たとえ高速のネットワークから低速のネットワークへデータを中継する場合においても、パケット消失を大幅に抑制でき、データの送信効率が向上し、かつ、利用者が自己の希望する伝送速度（周波数帯域）を選択できる。
【図面の簡単な説明】
【図１】本発明の一実施形態に係るネットワーク帯域制御装置が組込まれたネットワークシステムの概略構成を示すブロック図
【図２】同実施形態のネットワーク帯域制御装置の動作を示すタイムチャート
【図３】同実施形態のネットワーク帯域制御装置に入出力されるパケットのフレーム構成を示す図
【図４】同実施形態のネットワーク帯域制御装置における停止データ数の算出方法を説明するための図
【図５】従来のネットワークシステムの概略構成を示すブロック図
【符号の説明】
１…ＬＡＮ
２…ＷＡＮ
６…情報提供サーバ
７…端末
８…ネットワーク中継装置
９、１０…送受信回路
１１…ネットワーク帯域制御装置
１２…パケット
１３…データ
１４…データ数カウンタ
１５…データバッファ
１６…停止データ数カウンタ
１７…停止信号送出部
１８…停止データ数算出部
１９…使用帯域設定部
【図１】
2004007255.tif 000003
【図２】
2004007255.tif 000004
【図３】
2004007255.tif 000005
【図４】
2004007255.tif 000006
【図５】
2004007255.tif 000007